(57)【要約】      （修正有）【課題】放流した稚貝の、放流初期の大量死亡を減少させ、保育期間中の給餌作業が非常に簡単且つ効率的に行うことができ、稚貝に自然な状態で成育環境に慣れさせることができる人工礁又は礁構造体を提供する。【解決手段】稚貝を保育するための礁体４と、礁体４を覆うネット部材１６とからなり、ネット部材１６は、ネット部材１６外から礁体４内へ餌を投入するための餌投入部１８を備えている。また、礁体４は、餌投入部１８から投入された餌が溜まる給餌部と、給餌部を略環状に取り囲む壁体を備えている。また、餌投入部１８は、ネット部材１６に設けられた開口部と、開口部縁部から立ち上がる筒状の給餌筒２０からなる。また、給餌部には、大量の稚貝を収容可能な生息用コレクターが設けられていても良い。【選択図】図２
0003149422.tif 000002
【実用新案登録請求の範囲】
【請求項１】
稚貝を保育するための礁体と、該礁体を覆うネット部材とからなり、該ネット部材は、該ネット部材外から該礁体へ餌を投入するための餌投入部を備えていることを特徴とする稚貝保育礁。
【請求項２】
前記礁体は、前記餌投入部から投入された餌が溜まる給餌部と、該給餌部を略環状に取り囲む壁体を備えていることを特徴とする請求項１に記載の稚貝保育礁。
【請求項３】
前記壁体は、複数の礁ブロックを並べてなり、該礁ブロックは、カバー部材と、該カバー部材内に充填する固形充填部材とからなることを特徴とする請求項２に記載の稚貝保育礁。
【請求項４】
前記カバー部材は、網袋又は網籠であることを特徴とする請求項３に記載の稚貝保育礁。
【請求項５】
前記充填部材は、石又はコンクリート等の破砕物であり、前記カバー部材内にランダムに充填されていることを特徴とする請求項２〜４のいずれかに記載の稚貝保育礁。
【請求項６】
前記給餌部は、前記稚貝が身を隠す場所を形成する生息用コレクターを備えていることを特徴とする請求項２〜５のいずれかに記載の稚貝保育礁。
【請求項７】
前記生息用コレクターは、略板状の本体部と、該本体部を保持する脚部とを備え、該生息用コレクター設置箇所と該本体部間には、前記稚貝が身を隠すことが可能な間隙が設けられていることを特徴とする請求項６に記載の稚貝保育礁。
【請求項８】
前記給餌部は、前記稚貝のための餌料用藻類を培養する培養具が備えられていることを特徴とする請求項２〜７のいずれかに記載の稚貝保育礁。
【請求項９】
前記餌投入部は、前記ネット部材に設けられた開口部と、該開口部縁部から立ち上がる筒状の給餌筒からなることを特徴とする請求項１〜８のいずれかに記載の稚貝保育礁。
【請求項１０】
前記給餌筒には、錘部材が装着されていることを特徴とする請求項９に記載の稚貝保育礁。
【請求項１１】
前記給餌筒が、前記ネット部材と着脱可能であることを特徴とする請求項９又は１０に記載の稚貝保育礁。
【請求項１２】
前記給餌筒は、海上のブイと紐部材で連結されていることを特徴とする請求項９〜１１のいずれかに記載の稚貝保育礁。
【請求項１３】
前記ネット部材外面には、浮きが装着されていることを特徴とする請求項１〜１２のいずれかに記載の稚貝保育礁。
【考案の詳細な説明】
【技術分野】
【０００１】
本考案は、アワビやサザエ等の稚貝を保育するための礁に関する。
【背景技術】
【０００２】
アワビやサザエ等は、海洋資源の枯渇防止や安定的な漁獲量を確保するために稚貝を放流している。稚貝は、専用の施設で一定期間育成し、ある程度の大きさに育ったものを海に放流している。このような放流で、一度に５０００〜５００００個体程度の稚貝を放流している。
【０００３】
しかし、稚貝を放流する場所によっては、稚貝が身を隠す場所が無かったり、少ないことがある。この様な場合、かなりの割合でタコ、カニ、イセエビ等の害敵生物に稚貝が食べられてしまっていた。また、施設で育成された稚貝は、害敵生物のいない環境で成長したため、害敵生物に対して無防備という特徴を有している。更に、施設での育成期間中は、餌を与えられていたので、餌の取り方を知らないという特徴も有している。この様な原因で、放流した稚貝は１／３程度しか残らず、初期減耗が非常に大きすぎるという問題を有していた。特に、アワビやサザエといった稚貝は、高価であるため経済的損失が大きすぎるという問題もあった。
【０００４】
この様な問題に対し、特開２００１−２１１７７８公報や実開平６−３８５１１号公報では、海底に設置して稚貝を育てる人工礁や礁構造物についての発明や考案が記載されている。
【先行技術文献】
【特許文献】
【０００５】
【特許文献１】特開２００１−２１１７７８公報
【特許文献２】実開平６−３８５１１号公報
【考案の概要】
【考案が解決しようとする課題】
【０００６】
上記した人工礁又は礁構造物は、稚貝が身を隠す場所を提供するもので、稚貝が生育環境、害敵生物、餌の取り方等について学習するまでは、人手による餌やりが必要である。しかし、この餌やり作業が非常に大変であるという問題を有している。海上から人工礁へ餌を投入すると、海流によって餌が流されてしまう。また、人工礁に近付いて餌を与えるには、海に潜る必要があり、非常に大変であるという問題を有している。
【０００７】
そのため、稚貝の初期減耗を大幅に低減させ、保育期間中の餌やり作業が非常に簡単且つ効率的に行え、自然な状態で稚貝に成育環境に慣れさせることができる人工礁又は礁構造体の開発が切望されていた。
【課題を解決するための手段】
【０００８】
上記課題を解決するために本考案に係る稚貝保育礁は、稚貝を保育するための礁体と、礁体を覆うネット部材とからなり、ネット部材は、ネット部材外から礁体へ餌を投入するための餌投入部を備えていることを特徴とする。また、礁体は、餌投入部から投入された餌が溜まる給餌部と、給餌部を略環状に取り囲む壁体を備えていることを特徴とする。本考案に係る保育礁は、稚貝の生育環境下において、日中は身を隠し、餌を食べるために現れ、再び身を隠すという習性を学習させようとするものである。また、礁体をネットで覆うことにより、害敵生物の侵入を防いで、稚貝が食い荒らされることを防ごうとするものである。
【０００９】
また、壁体は、複数の礁ブロックを並べてなり、礁ブロックは、カバー部材と、カバー部材内に充填する固形充填部材とからなる構造でも良い。このカバー部材は、網袋又は網籠であっても良い。また、固形充填部材は、石又はコンクリート等の破砕物を用いて、カバー部材内にランダムに充填されていても良い。
【００１０】
また、給餌部は、稚貝が身を隠す場所を形成する生息用コレクターを備えていても良い。この生息用コレクターは、略板状の本体部と、本体部を保持する脚部とを備え、生息用コレクター設置箇所と本体部間には、稚貝が身を隠すことが可能な間隙が設けられている形状でも良い。また、給餌部には、稚貝の餌料用藻類を培養するための培養具が備えられていても良い。
【００１１】
また、餌投入部は、ネット部材に設けられた開口部と、開口部縁部から立ち上がる筒状の給餌筒からなる構造でも良い。この給餌筒には、錘部材が装着されていても良い。また、給餌筒は、台風等の海況悪化に伴い、ネット部材と着脱させることが可能であっても良い。また、給餌筒は、海上のブイと紐部材で連結されているのが良い。
【００１２】
また、ネット部材外面には、浮きが装着されていても良い。
【考案の効果】
【００１３】
本考案に係る稚貝保育礁は、稚貝を保育するための礁体と、礁体を覆うネット部材とからなり、ネット部材は、ネット部材外から礁体へ餌を投入するための餌投入部を備えているため、害敵生物の侵入を防ぐことができると共に礁体内に効率的に餌を与えることができ、放流した稚貝の初期減耗を大幅に低減することができる。
【００１４】
また、礁体は、餌投入部から投入された餌が溜まる給餌部と、給餌部を略環状に取り囲む壁体を備えているため、稚貝に礁体内に身を隠し、給餌部に出て餌を捕るという習性を学習させることができ、礁体外に出ても高い生存率が期待できる。
【００１５】
また、壁体は、複数の礁ブロックを並べてなり、礁ブロックは、カバー部材と、カバー部材内に充填する固形充填部材とからなるため、海底の地形や環境に応じて礁体の形状を任意に設定することができ、高い利便性を有する。また、礁ブロックの成形が簡単であるため、礁体の構築や設置が非常に簡単である。
【００１６】
また、カバー部材は、網袋又は網籠であるため、製造及び運搬が容易で、製造コストや設置コストの低減に寄与できる。また、カバー部材が網状であるため、稚貝の礁体内の移動や出入りを阻害せず、且つ、害敵生物の侵入を阻止することができる。
【００１７】
また、固形充填部材は、石又はコンクリート等の破砕物であるため、礁体設置場所近辺で調達したり、コンクリート廃材の再利用ができ、礁ブロックの製造コストを低減させることができる。また、固形充填部材は、カバー部材内にランダムに充填されているため、自然な隙間や岩陰を形成することができ、稚貝が自然環境に慣れやすくなる。
【００１８】
また、給餌部は、稚貝が身を隠す場所を形成するための生息用コレクターを備えているため、礁体内に大量の稚貝を収容することが可能となり、効率的な保育が可能である。
【００１９】
また、生息用コレクターは、略板状の本体部と、本体部を保持する脚部とを備え、生息用コレクター設置箇所と本体部間には、稚貝が身を隠すことが可能な間隙が設けられているため、生息用コレクターの製造及び設置が非常に容易で、保育礁の構築コストを抑えることができ、保育礁の設置が容易となる。
【００２０】
また、給餌部は、記稚貝の餌料用藻類を培養するための培養具が備えられているため、藻類の成長に伴って、餌の投入頻度を抑えることができ、稚貝の保育が容易になる。更に、稚貝が藻類を自力で捕食する習性を学習させることができ、保育礁外へ出ても生育することが可能となり、高い生存率が期待できる。
【００２１】
また、餌投入部は、カバー部材に設けられた開口部と、開口部縁部から立ち上がる筒状の給餌筒からなるため、海上から餌を給餌部に投入することができ、餌やり作業が非常に簡単である。更に、給餌筒によって投入される餌が海中に流されたり、他の生物に食べられにくくなり、効率的な給餌が可能となる。
【００２２】
また、給餌筒には、錘部材が装着されているため、通常時は給餌筒を潰した状態で保管でき、給餌筒からの害敵生物の進入を防ぐことができる。更に、給餌筒上部付近にアンカー的物体をとりつけ、海底近くに保管することができるため、海流の影響を受けにくくなり、保育礁が損壊するおそれが低減する。
【００２３】
また、給餌筒が、カバー部材と着脱可能であるため、海面から礁体までの距離が変化しても給餌筒を取り替えるだけで対応することでき、非常に利便性が高い。
【００２４】
また、給餌筒は、海上のブイと紐部材で連結されているため、給餌時には紐部材を引っ張って、給餌筒を海面付近までたぐり寄せることができ、非常に便利である。更に、海上のブイによって保育礁の目印になる。
【００２５】
また、ネット部材外面には、浮きが装着されているため、ネット部材を浮揚させることができ、ネット部材が給餌部近傍に位置することを防ぎ、害敵生物によって稚貝が食い荒らされることを防ぐことができる。
【図面の簡単な説明】
【００２６】
【図１】本考案に係る稚貝保育礁の一実施の形態を示す説明図である。
【図２】図１に示された稚貝保育礁の側面図である。
【図３】保育礁内部の一実施の形態を示した部分分解図である。
【図４】保育礁内部の一実施の形態を示した部分分解図である。
【図５】図４に示された保育礁の内部状態を示した側面図である。
【図６】本考案に生息用コレクターを示す説明図である。
【図７】本考案に係る礁ブロックの一実施の形態を示す説明図である。
【図８】礁ブロックの成型工程を示す説明図である。
【図９】本考案に係るネット部材の一実施の形態を示す説明図である。
【図１０】図８に示されたネット部材の平面図である。
【図１１】図８に示されたネット部材の側面図である。
【図１２】本考案に係る稚貝保育礁を使用した餌やり状態を示す説明図である。
【考案を実施するための形態】
【００２７】
本考案に係る稚貝保育礁２について、図を参照にしながら説明する。図１は、本考案に係る稚貝保育礁２の一実施の形態を示した説明図であり、図２は、図１に示された稚貝保育礁２の側面図である。また、図３及び図４は、図１に示された稚貝保育礁２の内部状態を示した部分分解図であり、図５は、図４に示された保育礁２の側面図である。なお、これらの図は本考案を説明するためだけのものであり、本考案を何ら限定するものではない。
【００２８】
本考案に係る稚貝保育礁２は、稚貝２４を保育するための礁体４と、礁体４を覆うネット部材１６とからなることを特徴とする。
【００２９】
礁体４は、礁体４外から投入された餌が溜まる給餌部６と、給餌部６を略環状に取り囲む壁体８を備えている構造が良い。つまり、保育中の稚貝が捕食する場所を壁体で取り囲み、害敵生物の侵入を防ぎ、初期減耗を減少させようとするものである。図３に示された礁体４は、略環状に壁体８を並べ、壁体８に囲まれた箇所を給餌部６としている。図３中では海底が給餌部６となっているが、礁体４内に給餌部６用の何らかの部材を設けても良い。この時、給餌部６と壁体８が分離可能でも良いし、給餌部６及び壁体８を一体化しても良く、礁体４の形態や構造については、設置場所の環境等を考慮して適宜設定すれば良い。また、図３中では、壁体８内に一つの給餌部６が設けられているが、礁ブロック１０の並べ方を工夫するなどして、壁体８内に複数の給餌部６を設けても良い。
【００３０】
また、図４又は図５に示されたように、給餌部６に稚貝２４が身を隠すこと場所を形成する生息用コレクター３０を備えても良い。この生息用コレクター３０を設置することで、大量の稚貝を礁体４内に収容し、保育することが可能となる。また、日中は、稚貝２４が生息用コレクター３０内に身を隠し、生息用コレクター３０の表面に出てきて餌を食べ、再び生息用コレクター３０に身を隠すという習性を学習させることができる。生息用コレクター３０の形状としては、図６に示されたように、略板状の本体部３２と、本体部３２を保持する脚部３４とを備え、生息用コレクター３０の設置箇所と本体部３２との間に間隙が設けられる形状が良いが、タワー型や箱形でも良く、大量の稚貝を収容し、稚貝２４が身を隠す場所を形成できれば、生息用コレクター３０の形状、構造、形態等については適宜設定すれば良い。また、生息用コレクター３０の材料としては、ある程度の重量を有し、耐食性に優れている材料で形成されるのが良く、コンクリート板等を代用させるのが良いが、その他の素材も使用可能である。
【００３１】
壁体８については、給餌部６を取り囲むことができれば、どの様な形状や構造でも良い。この壁体８は、一つの構造体でも良いが、図３及び図４に示されたように、複数の礁ブロック１０を並べて壁体８とする構造でも良い。これにより、礁ブロック１０の大きさ、形状、並べ方等を変化させることで、壁体８の形状や大きさ、給餌部６の形状や大きさ等を任意に変更でき、様々な条件や環境においても礁体４の設置が可能となる。
【００３２】
また、壁体８は、稚貝２４が身を隠すことが可能な部位を有していると更に良い。これにより、日中は壁体８に身を隠し、給餌部６に出てきて餌を食べ、再び壁体８に身を隠すという習性を学習させることができ、高い生存率が期待できる。また、壁体８を通り抜けて礁体４外へ出て行くことができ、自然に礁体４外へ稚貝２４を拡散することができる。稚貝２４が身を隠すことが可能な部位としては、壁体８に穴や間隙を人工的に設けても良いが、図７に示されたように、複数の石や岩を組み合わせた岩陰でも良く、壁体８の構造や形態に応じて設定すれば良い。
【００３３】
礁ブロック１０については、適度な強度と、害敵生物の侵入を防ぐことができれば、どの様な形状、構造でも良い。また、礁ブロック１０内に、稚貝２４が身を隠すことが可能な部位を有していると更に良い。礁ブロック１０としては、一つの構造体でも良いが、図７に示されたように、カバー部材１２内に複数の固形充填部材１４を充填した蛇篭型構造物を礁ブロック１０としても良い。図７に示されたような蛇篭型の礁ブロック１０は、カバー部材１２の大きさや、充填する固形充填部材１４の量等を任意に変更調節することができるため、礁ブロック１０の形状や形態を自由に設定でき、非常に便利である。カバー部材１２としては、稚貝２４が礁ブロック１０に容易に出入りできるのが良く、網袋又は網籠が良い。カバー部材１２として網袋又は網籠を用いる場合は、ポリエステルやポリエチレン等の耐久性がある樹脂製のものを用いるのが最適である。また、メッキ加工、防錆加工、耐食加工等の特殊加工が施されていても良い。カバー部材１２の大きさとしては、１ｍ×２ｍ×０．３ｍ程度が良いが、固形充填部材１４の種類や形状、設置する壁体８の形状や大きさ等の条件を考慮して適宜設定すれば良い。また、網袋又は網籠の網目の大きさとしては、稚貝２４の移動を阻害せず、害敵生物からの進入を阻止可能な大きさを有しているのが良い。具体例としては、５ｃｍ×５ｃｍ程度の大きさが良く、３cm×３ｃｍ程度の大きさであれば更に良い。また、固形充填部材１４としては、石又は岩等を使用するのが良いが、コンクリート廃材等のコンクリート塊や、魚礁や藻礁等で一般的に使用される高比重の固形物と同じ材料のものを使用することができる。また、固形充填部材１４は、カバー部材１２内にランダムに充填し、固形充填部材１４間に自然な状態の隙間が設けられているのが良い。礁ブロック１０の成形方法としては、図８に示されたように、ａ）ベニヤ板等で板型を形成し、その中にカバー部材１２を敷設する。ｂ）カバー部材１２内に固形充填部材１４をランダムに充填する。ｃ）カバー部材１２をクレーンで持ち上げ、板型から取り外す。この様に礁ブロック１０を成形すると、固形充填部材１４をランダムに充填でき、固形充填部材１４間に自然な間隙を形成することができる。
【００３４】
また、ネット部材１６は、害敵生物の侵入を防ぐことができれば良く、礁体４全体を覆う形状でも良いし、給餌部６のみを覆う形状でも良い。また、ネット部材１６の網目としては、害敵生物の侵入を防ぐことができる大きさが良く、具体例としては、３ｃｍ×３ｃｍ程度の大きさが良い。また、ネット部材１６の素材としては、ポリエステルやポリエチレンといった樹脂で、１００ｋｇ程度の対重破断力を持つものが良い。また、図１及び図２に示された保育礁２は、ネット部材１６と礁体４をロープで縛って連結しているが（図示せず）、ネット部材１６に、礁体４又は礁ブロック１０と連結するための連結部材や連結手段を設けても良い。また、ネット部材１６外面には、図９〜図１１に示されたように、浮きが装着されていても良い。図中では、複数の小型浮きを筋縄に沿って配設しているが、ネット部材１６の重量や形状等に応じて浮きの種類、設置数、設置箇所等を設定すれば良い。
【００３５】
また、ネット部材１６は、ネット部材１６外から礁体４へ餌を投入するための餌投入部１８を備えていることを特徴とする。この餌投入部１８は、図９に示されたように、ネット部材１６に設けられた開口部２２と、開口部２２縁部から立ち上がる筒状の給餌筒２０からなる構造が良い。この構造により、図１２に示されたように、給餌筒２０を海面付近までたぐり寄せ、船上から礁体４へ効率的に餌を投入することが可能となる。また、図９又は図１０に示されたネット部材１６は、餌投入部１８が一箇所のみ設けられているが、複数箇所に設けられていても良い。例えば、ネット部材１６に複数の開口部２２を設け、複数叉に別れた給餌筒２０をそれぞれ開口部２２と連結すれば、保育礁２内に複数の給餌部６を設けても、同時に餌やりが可能となる。開口部２２の形状や寸法については、適宜設定すれば良い。また、開口部２２は、ネット部材１６の一部を切り取って形成するのでは無く、図１１に示されたように、開口部２２を設けるための編み方を施して形成されるのが良い。また、開口部２２の縁部に特別な補強加工が施されていると更に良い。給餌筒２０は、図９又は図１０に示されているように、筒型の網部材を用いるのが良いが、その他の円筒状部材でも良い。また、給餌筒２０は、図９に示されたように、ネット部材１６と着脱可能に連結されていても良いし、ネット部材１６と給餌筒２０を一体形成しても良い。給餌筒２０とネット部材は、ロープで縛って連結固定すれば良いが、ネット部材１６及び／又は給餌筒２０に連結部材や連結手段を設けても良い。また、給餌筒２０には、錘部材を装着しても良い。錘部材としては、例えば、給餌筒２０に鉛ロープを編み込んで錘部材とする方法もあるが、その他の部材や手段を用いても良い。錘部材を給餌筒２０に装着した時、錘部材がネット部材１６、固形充填部材１４、その他の障害物等に絡まったり、引っ掛かったりすることが無いように、形状や構造、装着方法等を設定するのが良い。
【００３６】
また、給餌筒２０は、図１２に示されたように、海上のブイ２８と紐部材２６で連結されているのが良い。紐部材２６は、腐食しにくく、適度な強度を有した材料で形成されているのが良く、養殖現場等で一般的に使用されているロープ類を使用すれば良い。また、海上のブイ２８は、一般的に漁業や養殖業で使用されるものを用いれば良い。
【００３７】
また、給餌部６には、稚貝２４の餌料用藻類を培養するための培養具３６が備えられていても良い。この培養具３６を設けることにより、餌料用藻類の成長に伴い、餌やり頻度を低減させることができ、稚貝保育が容易になる。また、礁体４内で、稚貝２４が藻類を自力で捕食することを学習させることができ、礁体４外へ出ていっても生存することが期待できる。本考案では培養具３６として、図４又は図５に示されたように、給餌部６の上部にロープを複数本渡し、このロープにワカメやコンブ等の胞子を塗している。この他にも、飼料用藻類を培養する専用の用具を設置しても良いし、壁体８や礁ブロック１０に飼料用藻類の胞子を塗したり、埋め込んだりしても良く、培養具３６の形状や構造は適宜設定すれば良い。
【００３８】
以上が本考案にかかる稚貝保育礁２についての説明である。次に、本考案にかかる稚貝保育礁２を使用した稚貝２４の保育方法について説明する。まず、保育礁２を設置する場所に礁ブロック１０を略環状に並べる。並べ方は、図３に示されたように規則的に並べても良いし、適当に並べても良いが、礁ブロック１０間に害敵生物が侵入出来ないよう、隙間を作らずに配列するのが好ましい。必要であれば、隣り合う礁ブロック１０同士を連結具や連結手段によって連結固定しても良い。
【００３９】
礁ブロック１０を配置した後、給餌部６に稚貝２４を放流する。この時、稚貝２４をそのまま礁体４内に放流しても良いが、生息用コレクター３０に大量の稚貝２４を接着させ、この生息用コレクター３０を給餌部６に並らべても良い。稚貝２４を放流した後、礁体４にカバー部材１２をかけ、カバー部材１２と礁ブロック１０を連結固定する。そして、カバー部材１２の開口部２２縁部に給餌筒２０を連結固定する。そして、図１２に示されたように、給餌筒２０のもう一方の口側に紐部材２６を取り付け、海上に浮揚するブイ２８と紐部材２６を連結する。紐部材２６は、給餌筒２０に装着された錘部材によって給餌筒２０が海底又は礁体４側に沈むことがで可能なように、適度な長さに調整する。以上で稚貝保育礁２の設置が完了する。
【００４０】
保育礁２に餌を投入する場合は、船上にて海上のブイ２８と連結している紐部材２６をたぐり寄せると、給餌筒２０が立ち上がり、給餌筒２０の口が海面近くまで引き寄せられる。そして、図１２に示されたように、給仕用円筒内にクズわかめ等の餌を投入、吸水パイプで圧縮ぎみにすると、給餌筒２０を伝って餌が給餌部６に流入していく。
【００４１】
壁体８や生息用コレクター３０内に身を隠している稚貝２４は、給餌部６に餌が投入されると、餌を食べるために壁体８や生息用コレクター３０から出てくる。餌を食べ終わると、再び壁体８や生息用コレクター３０内に身を隠す。稚貝２４がこの行動を繰り返すことで、岩場や岩陰に身を隠す習性を学習するようになり、保育礁２の外へ出て行っても生存する可能性が高くなる。また、稚貝２４を放流してからある程度の期間は、餌やりを１日１回行うようにする。礁体４内に培養具３６を設置した場合は、飼料用藻類の成長に伴い、餌やり頻度を減らせば良い。保育礁２内で稚貝２４がある程度生育すると、自力で礁体４の外へ出ていくようになり、礁体４外へ稚貝２４を拡散することができる。
【００４２】
このように保育することにより、放流した稚貝２４の初期減耗を大幅に減らすことができ、海洋資源、海産物の安定的な漁獲量を確保することができる。また、保育期間中に稚貝２４に生育環境や害敵生物との関係を学習させることができるため、高い生存率が期待できる。
【００４３】
以上が本考案に係る稚貝保育礁２に関する説明であるが、本考案の目的を逸脱しない限り、種々の条件や設定は変更が可能である。
【符号の説明】
【００４４】
２    稚貝保育礁
４    礁体
６    給餌部
８    壁体
１０    礁ブロック
１２    カバー部材
１４    固形充填部材
１６    ネット部材
１８    餌投入部
２０    給餌筒
２２    開口部
２４    稚貝
２６    紐部材
２８    ブイ
３０    生息用コレクター
３２    本体部
３４    脚部
３６    培養具
【図１】
0003149422.tif 000003
【図２】
0003149422.tif 000004
【図３】
0003149422.tif 000005
【図４】
0003149422.tif 000006
【図５】
0003149422.tif 000007
【図６】
0003149422.tif 000008
【図７】
0003149422.tif 000009
【図８】
0003149422.tif 000010
【図９】
0003149422.tif 000011
【図１０】
0003149422.tif 000012
【図１１】
0003149422.tif 000013
【図１２】
0003149422.tif 000014